(57)【要約】【課題】便槽内の汚物や汚水の状況を容易かつ迅速に把握することができる便槽検出装置、これを備える仮設トイレ、便槽警告報知システム、便槽警告報知方法及び便槽警告報知プログラムを提供すること。【解決手段】仮設トイレ１０の便槽に設けられて、警告を報知する報知装置１００，２００に接続される便槽検出装置１であって、前記便槽内における汚物の高さ及び汚水の高さを検出し、これらの検出結果を前記報知装置１００，２００に出力して前記汚物及び前記汚水の高さに応じて前記報知装置１００，２００に警告を報知させる出力部２を備える。【選択図】図１
2019088367.tif 000002
【特許請求の範囲】
【請求項１】
仮設トイレの便槽に設けられて、警告を報知する報知装置に接続される便槽検出装置であって、
前記便槽内における汚物の高さ及び汚水の高さを検出し、これらの検出結果を前記報知装置に出力して前記汚物及び前記汚水の高さに応じて前記報知装置に警告を報知させる出力部を備える便槽検出装置。
【請求項２】
前記出力部は、
前記汚物の高さが所定の汚物用閾値を超え、かつ前記汚水の高さが所定の汚水用閾値を超えた場合に、前記汚物又は前記汚水が汲み取り状況にあることを知らせる汲み取り警告を前記報知装置に報知させる請求項１に記載の便槽検出装置。
【請求項３】
前記出力部は、
前記汚物の高さが所定の汚物用閾値を超え、かつ前記汚水の高さが所定の汚水用閾値を超えない場合に、前記汚物が均し状況にあることを知らせる均し警告を前記報知装置に報知させる請求項１又は請求項２に記載の便槽検出装置。
【請求項４】
前記出力部は、
前記汚物の高さが所定の汚物用閾値を超えず、かつ前記汚水の高さが所定の汚水用閾値を超えた場合に、前記汚物又は前記汚水の検出異常状況を知らせる検出異常警告を前記報知装置に報知させる請求項１から請求項３のいずれか一項に記載の便槽検出装置。
【請求項５】
前記出力部は、
前記汚物の高さが所定の汚物用閾値を超えず、かつ前記汚水の高さが所定の汚水用閾値を超えない場合に、前記便槽内における汚物の高さ及び汚水の高さの継続検出状況を知らせる継続検出警告を前記報知装置に報知させる請求項１から請求項４のいずれか一項に記載の便槽検出装置。
【請求項６】
前記所定の汚水用閾値が、高く設定された第１の汚水用閾値と低く設定された第２の汚水用閾値との少なくとも２段階に設定されており、
前記出力部は、
前記汚物の高さが前記所定の汚物用閾値を超え、かつ前記汚水の高さが前記第１の汚水用閾値と前記第２の汚水用閾値との間にある場合に、前記汚物が均し状況にあることを知らせる均し警告と、前記汚物及び前記汚水が汲み取り前状況にあることを知らせる汲み取り前警告とを前記報知装置に報知させる請求項２から請求項５のいずれか一項に記載の便槽検出装置。
【請求項７】
前記所定の汚物用閾値が、高く設定された第１の汚物用閾値と低く設定された第２の汚物用閾値との少なくとも２段階に設定されており、
前記所定の汚水用閾値が、高く設定された第１の汚水用閾値と低く設定された第２の汚水用閾値との少なくとも２段階に設定されており、
前記出力部は、
前記汚物の高さが前記第１の汚物用閾値と前記第２の汚物用閾値との間にあり、かつ前記汚水の高さが前記第１の汚水用閾値と前記第２の汚水用閾値との間にある場合に、前記汚物及び前記汚水が汲み取り前状況にあることを知らせる汲み取り前警告を前記報知装置に報知させる請求項２から請求項６のいずれか一項に記載の便槽検出装置。
【請求項８】
請求項１から請求項７のいずれか一項に記載の便槽検出装置と、
前記便槽検出装置が設けられる便槽とを備える仮設トイレ。
【請求項９】
請求項１から請求項７のいずれか一項に記載の便槽検出装置と、
前記警告を報知する前記報知装置と
を備える便槽警告報知システム。
【請求項１０】
請求項１から請求項７のいずれか一項に記載の便槽検出装置の検出結果に応じて前記報知装置によって警告を報知する便槽警告報知方法であって、
前記報知装置の警告信号出力部が、前記便槽検出装置の出力部から出力される検出結果に応じて、前記報知装置の報知部に前記警告を報知させる警告信号を出力する警告信号出力ステップを含む便槽警告報知方法。
【請求項１１】
請求項１から請求項７のいずれか一項に記載の便槽検出装置の検出結果に応じて警告を報知する前記報知装置における便槽警告報知プログラムであって、
前記報知装置の警告信号出力部が、前記便槽検出装置の出力部から出力される検出結果に応じて、前記報知装置の報知部に前記警告を報知させる警告信号を出力する警告信号出力ステップを含む便槽警告報知プログラム。
【発明の詳細な説明】
【技術分野】
【０００１】
本発明は、便槽検出装置、これを備える仮設トイレ、便槽警告報知システム、便槽警告報知方法及び便槽警告報知プログラムに関する。
【背景技術】
【０００２】
従来、工事現場や野外イベント会場、災害発生時の避難所等において種々の仮設トイレが利用されている（例えば、特許文献１）。
このような仮設トイレとしては、汚物や汚水を収容する便槽を備えるのが一般的である。そして、便槽内における汚物や汚水の状況によって、汲み取り作業などのメンテナンスを管理者が行うようになっている。
【先行技術文献】
【特許文献】
【０００３】
【特許文献１】特開２０１６−１２５２４７号公報
【発明の概要】
【発明が解決しようとする課題】
【０００４】
しかしながら、このような仮設トイレでは、便槽内における汚物や汚水の状況を現場に行って目視確認する必要があるため、状況確認に手間がかかってしまうという問題がある。
【０００５】
以上に鑑みて、本発明は、便槽内の汚物や汚水の状況を容易かつ迅速に把握することができる便槽検出装置、これを備える仮設トイレ、便槽警告報知システム、便槽警告報知方法及び便槽警告報知プログラムを提供することを目的とする。
【課題を解決するための手段】
【０００６】
本願に記載する便槽検出装置は、仮設トイレの便槽に設けられて、警告を報知する報知装置に接続される便槽検出装置であって、前記便槽内における汚物の高さ及び汚水の高さを検出し、これらの検出結果を前記報知装置に出力して前記汚物及び前記汚水の高さに応じて前記報知装置に警告を報知させる出力部を備える。
【発明の効果】
【０００７】
本願の一観点によれば、便槽内の汚物や汚水の状況を容易かつ迅速に把握することができる。
【図面の簡単な説明】
【０００８】
【図１】本発明の第１の実施形態に係る便槽警告報知システムの全体構成図である。
【図２】図１の仮設トイレを示す説明図である。
【図３】報知サーバが記憶する警告信号テーブルを示す説明図である。
【図４】報知サーバの制御部の処理動作を示すフローチャートである。
【図５】便槽内における汚物及び汚水の状況を示す説明図である。
【図６】便槽内における汚物及び汚水の他の状況を示す説明図である。
【図７】本発明の第２の実施形態に係る警告信号テーブルを示す説明図である。
【図８】本発明の第２の実施形態に係る制御部の処理動作を示すフローチャートである。
【図９】図８の第１の警告報知処理の処理動作を示すフローチャートである。
【図１０】図８の第２の警告報知処理の処理動作を示すフローチャートである。
【図１１】図８の第３の警告報知処理の処理動作を示すフローチャートである。
【図１２】図１１の符号Ａ以降の処理動作を示すフローチャートである。
【図１３】本発明に係る警告信号テーブルの第１の変形例を示す説明図である。
【図１４】本発明に係る警告信号テーブルの第２の変形例を示す説明図である。
【図１５】本発明に係る警告信号テーブルの第３の変形例を示す説明図である。
【発明を実施するための形態】
【０００９】
［第１の実施形態］
以下、本発明の第１の実施形態における便槽検出装置、これを備える仮設トイレ、便槽警告報知システム、便槽警告報知方法及び便槽警告報知プログラムについて、図面を参照して説明する。
図１は、便槽警告報知システム５０を示す全体構成図である。
便槽警告報知システム５０は、便槽検出装置１と、この便槽検出装置１を備える仮設トイレ１０と、報知サーバ（報知装置）１００と、管理端末（報知装置）２００とを備えている。
便槽検出装置１は、制御部（出力部）２と、通信部３と、記憶部４と、汚物検出部５と、汚水検出部６とを備えている。
制御部２は、例えばＣＰＵ等からなり、装置全体の制御を行う。また、制御部２は、汚物検出部５及び汚水検出部６の検出結果を、通信部３を介して報知サーバ１００に出力する。
【００１０】
通信部３は、例えば、各種通信デバイスなどからなり、制御部２が出力した検出結果を制御部２の制御のもと報知サーバ１００に出力する。
記憶部４は、例えば、ハードディスクやメモリなどからなり、汚物検出部５及び汚水検出部６の検出結果の他、各種プログラムや作業データなどを記憶する。
汚物検出部５は、例えば超音波センサ等の各種検出装置からなり、後述する便槽１１の汲み取り口１５の近傍に設けられて、便槽１１内の開口部１１ａの近傍における汚物の高さを検出する。そして、汚物検出部５は、汚物が所定の高さに達すると検出結果を制御部２に出力する。
汚水検出部６は、例えば水圧センサ等の各種検出装置からなり、後述する便槽１１の汲み取り口１５の近傍に設けられて、便槽１１内の周縁部における汚水の高さを検出する。そして、汚水検出部６は、汚水が所定の高さに達すると検出結果を制御部２に出力する。
【００１１】
仮設トイレ１０は、図２に示すように、上述した便槽検出装置１と、便槽１１と、壁面部１２と、便座部１３とを備えている。
便槽１１の上面には、貫通孔である開口部１１ａが設けられている。そして便槽１１は、この開口部１１ａを介して便座部１３から落下する汚物及び汚水を収容するようになっている。便槽１１の背面側には、汚物及び汚水の汲み取り作業を行うための汲み取り口１５と、この汲み取り口１５を開閉させる汲み取りキャップ１４とが設けられている。この汲み取り口１５を介して、管理者が汲み取り作業または汚物を均すための均し作業を行うようになっている。
キャップ１４には、支持棒１６が垂直方向に設けられており、この支持棒１６に、Ｌ字形状のＬ字板７が設けられている。Ｌ字板７の水平基盤部には、上述の汚水検出部６が設けられている。また、Ｌ字板７の垂直壁部には、上述の汚物検出部５が設けられている。
このような構成のもと、便槽１１内における汚物が所定の高さ（本実施形態においては８０％の高さ）に達すると、汚物検出部５が検出結果を制御部２に出力し、便槽１１内における汚水が所定の高さ（本実施形態においては８０％の高さ）に達すると、汚水検出部６が検出結果を制御部２に出力する。なお、図２においては、便槽検出装置１の制御部２、通信部３及び記憶部４等が省略されていることは言うまでもない。
【００１２】
壁面部１２は、便槽１１の上面に設けられている。この壁面部１２は、便座部１３を囲うようにして矩形状に配された４つの側面部１２ａと、これら側面部１２ａの上端部に設けられた天井部１２ｂとを備えている。
壁面部１２のうち正面に配された側面部１２ａには、開閉ドア１２ｃが設けられている。
便座部１３は、便槽１１の上面のうち開口部１１ａの上方に設けられている。また、便座部１３は、開口部１１ａを開閉させるフラッパー１３ａを備えている。
このような構成のもと、使用者が、開閉ドア１２ｃを介して、壁面部１２内に入って便座部１３を使用するようになっている。
【００１３】
また、図１に示すように、報知サーバ１００は、便槽１１内における汚物及び汚水の状況に応じた警告を、管理端末２００を介して管理者に報知させるものである。
この報知サーバ１００は、制御部（警告信号出力部）１０１と、通信部１０２と、記憶部１０３とを備えている。
制御部１０１は、例えばＣＰＵ等からなり、装置全体の制御を行う。また、制御部１０１は、便槽検出装置１が出力した汚物検出部５及び汚水検出部６の検出結果を、通信部１０２を介して入力する。そして、制御部１０１は、記憶部１０３に記憶された警告信号テーブルに基づいて各種警告信号を生成し、通信部１０２を介して、管理端末２００に各種警告信号を出力する。
通信部１０２は、例えば、各種通信デバイスなどからなり、便槽検出装置１が出力した検出結果を入力し、または、制御部１０１が出力した各種警告信号を制御部２の制御のもと管理端末２００に出力する。
【００１４】
記憶部４は、例えば、ハードディスクやメモリなどからなり、制御部１０１が入力した汚物検出部５及び汚水検出部６の検出結果の他、各種プログラムや作業データなどを記憶する。また、記憶部４は、図３に示す警告信号テーブルを記憶する。
警告信号テーブルは、汚物検出部５及び汚水検出部６の検出結果に基づいて、制御部１０１が各種警告信号を生成するためのテーブルである。本実施形態では、汚物の高さに対する汚物用閾値が８０％の高さに設定されており、汚物の高さが８０％以上になるとＯＮになるように設定され、８０％未満ではＯＦＦになるように設定されている。一方、汚水の高さに対する汚水用閾値も８０％の高さに設定されており、汚水の高さが８０％以上になるとＯＮになるように設定され、８０％未満ではＯＦＦになるように設定されている。なお、汚物及び汚水の高さを示す％は、全容量に対する割合であってもよいし、ＭＡＸの高さに対する割合であってもよい。また、汚物及び汚水の高さを示す％は、それぞれ異なる高さに設定されていてもよいし、同じ高さに設定されていてもよい。
このような構成のもと、制御部１０１は、警告信号テーブルに示すように、汚物検出部５及び汚水検出部６の検出結果に基づいて、汲み取り警告信号、均し警告信号、センサ異常警告信号及び継続検出信号のいずれかの警告信号を生成する。
【００１５】
また、図１に示すように、管理装置２００は、制御部２０１と、通信部２０２と、記憶部２０３と、報知部２０４とを備えている。
制御部２０１は、例えばＣＰＵ等からなり、装置全体の制御を行う。また、制御部２０１は、報知サーバ１００が出力した各種警告信号を通信部２０２を介して入力する。そして、制御部２０１は、各種警告信号に基づいて、警告報知指示を報知部２０４に出力して各種警告を報知させる。
通信部２０２は、例えば、各種通信デバイスなどからなり、報知サーバ１００が出力した各種警告信号を入力する。
【００１６】
記憶部２０３は、例えば、ハードディスクやメモリなどからなり、制御部２０１が入力した各種警告信号の他、各種プログラムや作業データなどを記憶する。
報知部２０４は、例えば、スピーカやモニタなどからなり、制御部２０１が出力した警告報知指示に応じて、管理者に警告を報知する。具体的には、報知部２０４は、音、振動、光、文字又は画像などにより、管理者に警告を報知する。
【００１７】
次に、便槽検出装置１、これを備える仮設トイレ１０、便槽警告報知システム５０、便槽警告報知方法及び便槽警告報知プログラムの処理動作について、図４を参照して説明する。
図４は、制御部１０１の処理動作を示すフローチャートである。
制御部１０１は、通信部１０２の出力を読み出し（ステップＳ１）、汚物検出部５から出力された検出結果がＯＮ又はＯＦＦであるかを判定する（ステップＳ２）。そして、制御部１０１は、汚物検出部５から出力された検出結果がＯＮであると判定すると（ステップＳ２：ＯＮ）、汚水検出部６から出力された検出結果がＯＮ又はＯＦＦであるかを判定する（ステップＳ３）。制御部１０１は、汚水検出部６から出力された検出結果がＯＮであると判定すると（ステップＳ３：ＯＮ）、記憶部１０３が記憶する警告信号テーブルを読み出し、この警告信号テーブルに基づいて汲み取り警告信号を生成し、通信部１０２を介して管理端末２００に出力する（ステップＳ４、警告信号出力ステップ）。なお、図３における警告信号テーブル内の丸数字と、図４における各処理動作内の丸数字とは対応していることは言うまでもない。
制御部２０１は、通信部２０２を介して当該汲み取り警告信号を入力し、汚物及び汚水が汲み取り状況にあることを知らせる汲み取り警告を報知部２０４に報知させる。すなわち、報知部２０４は、便槽１１内における汚物及び汚水が所定の高さに到達し、汲み取りが必要な状況にあることを音の発音や文字の表示などの警告により管理者に報知する。これにより、管理者は、便槽１１内の汚物及び汚水が多く収容された状況であり、汲み取りタイミングが到来したことを認識することができ、便槽１１内の汲み取り作業を行う。
【００１８】
図５は、制御部１０１が汲み取り警告信号を生成したときの便槽１１内の汚物及び汚水の状況を示す説明図である。
汚水検出部６による汚水用閾値が８０％に設定されていることから、便槽１１内において汚水の高さＷ１が８０％に到達すると、汚水検出部６が検出結果を制御部２に出力する。また、汚物検出部５による汚物用閾値も８０％に設定されていることから、便槽１１内において汚物の高さＴ１が８０％に到達すると、汚物検出部５が検出結果を制御部２に出力する。これら汚水検出部６及び汚物検出部５の検出結果が、通信部３を介して出力され、報知サーバ１００の制御部１０１に入力される。
このとき、汚水の高さＷ１及び汚物の高さＴ１はともに８０％を越えており、汚物及び汚水は、便槽１１内の全体にわたって多く収容されて汲み取りが必要な汲み取り状況になっている。
このような汲み取り状況にあることを管理者に知らせる汲み取り警告を報知部２０４が管理者に報知することにより、汚物及び汚水が汲み取り状況にあることを管理者が認識し、便槽１１内の汲み取り作業が行われる。
【００１９】
また、制御部１０１は、ステップＳ３において、汚水検出部６からの検出結果がＯＦＦであると判定すると（ステップＳ３：ＯＦＦ）、記憶部１０３が記憶する警告信号テーブルに基づいて均し警告信号を生成し、通信部１０２を介して管理端末２００に出力する（ステップＳ５、警告信号出力ステップ）。制御部２０１は、通信部２０２を介して当該均し警告信号を入力し、汚物が均し状況にあることを知らせる均し警告を報知部２０４に報知させる。これにより、管理者は、便槽１１内の汚物に対して均しが必要な状況であることを認識することができ、便槽１１内の均し作業を行う。
【００２０】
図６は、制御部１０１が均し警告信号を生成したときの便槽１１内の汚物及び汚水の状況を示す説明図である。
汚水検出部６による汚水用閾値は８０％に設定されていることから、便槽１１内において汚水の高さＷ１は８０％に到達しておらず、汚水検出部６は検出結果を制御部２に出力しない。一方、汚物検出部５による汚物用閾値も８０％に設定されていることから、便槽１１内において汚物の高さＴ１が８０％に到達すると、汚物検出部５が検出結果を制御部２に出力する。この汚物検出部５の検出結果が、通信部３を介して出力され、報知サーバ１００の制御部１０１に入力される。
このとき、汚水の高さＷ１は８０％に到達しておらず、汚物の高さＴ１のみが８０％を越えていることから、汚物が便槽１１内の一部分において局所的に堆積しており、まだ多くの汚物及び汚水が収容されていない状況になっている。すなわち、便槽１１内において、汚物が均されるべき均し状況になっている。
このような均し状況にあることを管理者に知らせる均し警告を報知部２０４が管理者に報知することにより、汚物が均し状況にあることを管理者が認識し、便槽１１内の均し作業が行われる。
【００２１】
また、制御部１０１は、ステップＳ２において、汚物検出部５からの検出結果がＯＦＦであると判定すると（ステップＳ２：ＯＦＦ）、汚水検出部６からからの検出結果がＯＮ又はＯＦＦであるかを判定する（ステップＳ６）。制御部１０１は、汚水検出部６からからの検出結果がＯＮであると判定すると（ステップＳ６：ＯＮ）、記憶部１０３が記憶する警告信号テーブルに基づいてセンサ異常警告信号を生成し、通信部１０２を介して管理端末２００に出力する（ステップＳ７、警告信号出力ステップ）。制御部２０１は、通信部２０２を介して当該センサ異常警告信号を入力し、センサ異常状況を知らせるセンサ異常警告を報知部２０４に報知させる。これにより、管理者は、汚物検出部５又は汚水検出部６が異常状況であることを認識することができ、これら汚物検出部５又は汚水検出部６に対してメンテナンス作業を行う。
なお、汚物検出部５の検出結果がＯＦＦであり、汚水検出部６の検出結果がＯＮということは、便槽１１内において汚物は８０％に到達しておらず、汚水のみが８０％に到達していることを意味している。一般的に、汚水の高さに対して汚物の高さは高くなるため、このように、汚水のみが８０％に到達することは通常はあり得ない。そのため、汚物検出部５の検出結果がＯＦＦであり、汚水検出部６の検出結果がＯＮの場合には、汚物又は汚水が検出異常状況にあるものとして、すなわち、汚物検出部５又は汚水検出部６のセンサが異常であるものとして、報知部２０４に検出異常警告を報知させる。
【００２２】
また、制御部１０１は、ステップＳ６において、汚水検出部６からからの検出結果がＯＦＦであると判定すると（ステップＳ６：ＯＦＦ）、記憶部１０３が記憶する警告信号テーブルに基づいて継続検出信号を生成し、通信部１０２を介して管理端末２００に出力する（ステップＳ８、警告信号出力ステップ）。制御部２０１は、通信部２０２を介して当該継続検出信号を入力し、汚物及び汚水が継続検出状況にあることを知らせる継続検出警告を報知部２０４に報知させる。
なお、汚物検出部５の検出結果がＯＦＦであり、汚水検出部６の検出結果がＯＦＦということは、便槽１１内において汚物は８０％に到達しておらず、汚水も８０％に到達していないことを意味している。すなわち、便槽１１内における汚物及び汚水の収容量が汲み取りが必要なほどには至っていないことを意味している。そのため、汚物検出部５の検出結果がＯＦＦであり、汚水検出部６の検出結果もＯＦＦの場合には、汚物又は汚水が引き続き検出を継続すべき継続検出状況にあるものとして、報知部２０４に継続検出警告を報知させる。
これにより、管理者は、便槽１１内において汚物又は汚水が、汲み取りが必要な量よりもまだ少ない状況（継続検出状況）にあることを認識することができ、管理を継続することができる。
【００２３】
以上より、本実施形態における便槽検出装置１、これを備える仮設トイレ１０、便槽警告報知システム５０、便槽警告報知方法及び便槽警告報知プログラムによれば、制御部２が、汚物の高さ及び汚水の高さの両方を検出し、これらの検出結果に基づいて、報知サーバ１００に報知部２０４を介して警告させることから、便槽１１内の汚物や汚水の状況を容易かつ迅速に把握することができる。
また、制御部２が、汚物の高さＴ１が所定の汚物用閾値を越え、かつ汚水の高さが所定の汚水用閾値を越えた場合に、報知サーバ１００に報知部２０４を介して汲み取り警告を報知させることから、便槽１１内の汲み取り状況を容易かつ迅速に把握することができる。
また、制御部２が、汚物の高さＴ１が所定の汚物用閾値を越え、かつ汚水の高さが所定の汚水用閾値を越えない場合に、報知サーバ１００に報知部２０４を介して均し警告を報知させることから、便槽１１内の均し状況を容易かつ迅速に把握することができる。
【００２４】
また、制御部２が、汚物の高さＴ１が所定の汚物用閾値を越えず、かつ汚水の高さが所定の汚水用閾値を越えた場合に、報知サーバ１００に報知部２０４を介してセンサ異常警告を報知させることから、汚物検出部５又は汚水検出部６による検出異常を容易かつ迅速に把握することができる。
また、制御部２が、汚物の高さＴ１が所定の汚物用閾値を越えず、かつ汚水の高さが所定の汚水用閾値を越えない場合に、報知サーバ１００に報知部２０４を介して継続検出警告を報知させることから、便槽１１内の汚物及び汚水が継続検出状況にあることを容易かつ迅速に把握することができる。
【００２５】
（実施形態２）
次に、本発明の第２の実施形態について説明する。
この実施形態と上記第１の実施形態とは基本的構成は同一であり、ここでは主として異なる点について説明する。
本実施形態においては、汚水の高さに対する閾値と、汚物の高さに対する閾値がそれぞれ３つ設定されている。すなわち、図７に示すように、汚水の高さの高い方から順に、高さ８０％が第１の汚水用閾値、高さ６０％が第２の汚水用閾値、高さ２０％が第３の汚水用閾値として設定されている。
また、汚物の高さの高い方から順に、高さ８０％が第１の汚物用閾値、高さ６０％が第２の汚物用閾値、高さ２０％が第３の汚物用閾値として設定されている。
これら第１から第３の汚水用閾値と、第１から第３の汚物用閾値とによって、記憶部１０３が記憶する警告信号テーブルとして各種警告信号が対応付けられている。
【００２６】
また、汚物検出部５及び汚水検出部６は、便槽１１内における汚物又は汚水の高さをそれぞれ所定のタイミングで定期的に検出して、検出結果を制御部２に定期的に出力する。制御部２は、検出結果を報知サーバ１００に定期的に出力する。
報知サーバ１００の制御部１０１は、制御部２が出力した検出結果に基づいて、第１から第３の汚水用閾値と、第１から第３の汚物用閾値とによって対応付けられた各種警告信号を定期的に生成し、報知部２０４に各種警告を定期的に報知させる。
【００２７】
次に、便槽検出装置１、これを備える仮設トイレ１０、便槽警告報知システム５０、便槽警告報知方法及び便槽警告報知プログラムの処理動作について、図８から図１２を参照して説明する。
図８は、制御部１０１の処理動作を示すフローチャートである。
制御部１０１は、通信部１０２の出力を読み出し（ステップＳ１）、汚物検出部５から出力された検出結果が第１の汚物用閾値（８０％）以上であるか、第２の汚物用閾値（６０％）以上であってかつ第１の汚物用閾値（８０％）未満であるか、又は第２の汚物用閾値（６０％）未満であるかを判定する（ステップＳ１０）。
制御部１０１は、検出結果が第１の汚物用閾値（８０％）以上であると判定すると（ステップＳ１０：８０以上）、第１の警告報知処理を行う（ステップＳ１１）。また、制御部１０１は、検出結果が第２の汚物用閾値（６０％）以上であってかつ第１の汚物用閾値（８０％）未満であると判定すると（ステップＳ１０：６０以上８０未満）、第２の警告報知処理を行い（ステップＳ１２）、また第２の汚物用閾値（６０％）未満であると判定すると（ステップＳ１０：６０未満）、第３の警告報知処理を行う（ステップＳ１３）。
【００２８】
図９は、制御部１０１の第１の警告報知処理の処理動作を示すフローチャートである。
なお、図９における各処理動作内の丸数字と、図７における警告信号テーブル内の丸数字とが対応していることは前述の通りである。
制御部１０１は、汚水検出部６から出力された検出結果が第１の汚水用閾値（８０％）以上であるか、第２の汚水用閾値（６０％）以上であってかつ第１の汚水用閾値（８０％）未満であるか、又は第２の汚水用閾値（６０％）未満であるかを判定する（ステップＳ１００）。
制御部１０１は、検出結果が第１の汚水用閾値（８０％）以上であると判定すると（ステップＳ１００：８０以上）、記憶部１０３が記憶する警告信号テーブルに基づいて汲み取り警告信号を生成し、通信部１０２を介して管理端末２００に出力する（ステップＳ１０１、警告信号出力ステップ）。
ここで、汚物の高さの検出結果が第１の汚物用閾値（８０％）以上であって、かつ汚水の高さの検出結果が第１の汚水用閾値（８０％）以上であるということは、便槽１１内における汚物及び汚水のそれぞれの高さがともに８０％以上になっているため、汚物及び汚水が汲み取り状況にあることを意味している。
上記と同様にして、制御部２０１は、通信部２０２を介して汲み取り警告信号を入力し、汚物及び汚水が汲み取り状況にあることを知らせる汲み取り警告を報知部２０４に報知させる。
【００２９】
また、ステップＳ１００において、制御部１０１は、検出結果が第２の汚水用閾値（６０％）以上であってかつ第１の汚水用閾値（８０％）未満であると判定すると（ステップＳ１００：６０以上８０未満）、記憶部１０３が記憶する警告信号テーブルに基づいて均し警告信号及び汲み取り前警告信号を生成し、通信部１０２を介して管理端末２００に出力する（ステップＳ１０２、警告信号出力ステップ）。
ここで、汚物の高さの検出結果が第１の汚物用閾値（８０％）以上であって、かつ汚水の高さの検出結果が第２の汚水用閾値（６０％）と第１の汚水用閾値（８０％）との間にあるということは、便槽１１内における汚物の高さが８０％以上であってかつ汚水の高さが６０％以上８０％未満になっているため、汚物が均し状況にあり、さらに汚物及び汚水が汲み取り状況に近づいており汚物及び汚水が加わるとすぐに汲み取り状況に到達する汲み取り前状況にあることを意味している。
制御部２０１は、通信部２０２を介して均し警告信号及び汲み取り前警告信号を入力し、汚物が均し状況にあることを知らせる均し警告と、汚物及び汚水が汲み取り前状況にあることを知らせる汲み取り前警告とを報知部２０４に報知させる。
【００３０】
また、ステップＳ１００において、制御部１０１は、検出結果が第３の汚水用閾値（６０％）未満であると判定すると（ステップＳ１００：６０未満）、当該検出結果が第３の汚水用閾値（２０％）以上であるか否かを判定する（ステップＳ１０３）。制御部１０１は、検出結果が第３の汚水用閾値（２０％）以上であると判定すると（ステップＳ１０３：Ｙｅｓ）、記憶部１０３が記憶する警告信号テーブルに基づいて均し警告信号を生成し、通信部１０２を介して管理端末２００に出力する（ステップＳ１０４、警告信号出力ステップ）。
ここで、汚物の高さの検出結果が第１の汚物用閾値（８０％）以上であって、かつ汚水の高さの検出結果が第３の汚水用閾値（２０％）と第２の汚水用閾値（６０％）との間にあるということは、便槽１１内における汚物の高さが８０％以上であってかつ汚水の高さが２０％以上６０％未満になっているため、汚物が均し状況にあることを意味している。
上記と同様にして、制御部２０１は、通信部２０２を介して均し警告信号を入力し、汚物が均し状況にあることを知らせる均し警告を報知部２０４に報知させる。
【００３１】
また、ステップＳ１０３において、制御部１０１は、検出結果が第３の汚水用閾値（２０％）以上でないと判定すると（ステップＳ１０３：Ｎｏ）、記憶部１０３が記憶する警告信号テーブルに基づいて汚水漏れ異常警告信号を生成し、通信部１０２を介して管理端末２００に出力する（ステップＳ１０５、警告信号出力ステップ）。
ここで、汚物の高さの検出結果が第１の汚物用閾値（８０％）以上であって、かつ汚水の高さの検出結果が第３の汚水用閾値（２０％）未満であるということは、便槽１１内における汚物の高さが８０％以上であってかつ汚水の高さが２０％未満になっているため、汚物の高さに対して汚水の高さが異常に低いことを意味している。汚物の高さが高くなれば、それに応じて汚水の高さも高くなっていくのが通常であるため、汚物の高さ８０％以上かつ汚水の高さが２０％未満ということは、汚水が便槽１１内から漏れている可能性が高いことになる。
制御部２０１は、通信部２０２を介して汚水漏れ異常警告信号を入力し、汚水が便槽１１内から漏れている状況にあることを知らせる汚水漏れ警告を報知部２０４に報知させる。
これにより、汚水が漏れている可能性が高いことを管理者が認識することができ、便槽１１のメンテナンスが行われる。
【００３２】
図１０は、制御部１０１の第２の警告報知処理の処理動作を示すフローチャートである。
制御部１０１は、汚水検出部６から出力された検出結果が第１の汚水用閾値（８０％）以上であるか、第２の汚水用閾値（６０％）以上であってかつ第１の汚水用閾値（８０％）未満であるか、又は第２の汚水用閾値（６０％）未満であるかを判定する（ステップＳ２００）。
制御部１０１は、検出結果が第１の汚水用閾値（８０％）以上であると判定すると（ステップＳ２００：８０以上）、記憶部１０３が記憶する警告信号テーブルに基づいてセンサ異常警告信号を生成し、通信部１０２を介して管理端末２００に出力する（ステップＳ２０１、警告信号出力ステップ）。
ここで、汚物の高さの検出結果が第２の汚物用閾値（６０％）と第１の汚物用閾値（８０％）との間にあって、かつ汚水の高さの検出結果が第１の汚水用閾値（８０％）以上であるということは、便槽１１内における汚物の高さが６０％以上８０％未満であって、かつ汚水の高さが８０％以上になっているため、汚物の高さに対して汚水の高さが異常に高いことを意味している。
上記と同様にして、制御部２０１は、通信部２０２を介してセンサ異常警告信号を入力し、汚物又は汚水が検出異常状況にあることを知らせる検出異常警告を報知部２０４に報知させる。
【００３３】
また、ステップＳ２００において、制御部１０１は、検出結果が第２の汚水用閾値（６０％）以上であってかつ第１の汚水用閾値（８０％）未満であると判定すると（ステップＳ２００：６０以上８０未満）、記憶部１０３が記憶する警告信号テーブルに基づいて汲み取り前警告信号を生成し、通信部１０２を介して管理端末２００に出力する（ステップＳ２０２、警告信号出力ステップ）。
ここで、汚物の高さの検出結果が第２の汚物用閾値（６０％）と第１の汚物用閾値（８０％）との間にあって、かつ汚水の高さの検出結果が第２の汚水用閾値（６０％）と第１の汚水用閾値（８０％）との間にあるということは、便槽１１内における汚物及び汚水の高さがともに６０％以上８０％未満になっているため、汚物及び汚水が汲み取り前状況にあることを意味している。
上記と同様にして、制御部２０１は、通信部２０２を介して汲み取り前警告信号を入力し、汚物及び汚水が汲み取り前状況にあることを知らせる汲み取り前警告とを報知部２０４に報知させる。
【００３４】
また、ステップＳ２００において、制御部１０１は、検出結果が第３の汚水用閾値（６０％）未満であると判定すると（ステップＳ２００：６０未満）、当該検出結果が第３の汚水用閾値（２０％）以上であるか否かを判定する（ステップＳ２０３）。制御部１０１は、検出結果が第３の汚水用閾値（２０％）以上であると判定すると（ステップＳ２０３：Ｙｅｓ）、記憶部１０３が記憶する警告信号テーブルに基づいて継続検出信号を生成し、通信部１０２を介して管理端末２００に出力する（ステップＳ２０４、警告信号出力ステップ）。
ここで、汚物の高さの検出結果が第２の汚物用閾値（６０％）と第１の汚物用閾値（８０％）との間にあって、かつ汚水の高さの検出結果が第２の汚水用閾値（６０％）と第３の汚水用閾値（２０％）との間にあるということは、便槽１１内における汚物の高さが６０％以上８０％未満であって、かつ汚水の高さが２０％以上６０％未満になっているため、便槽１１内における汚物及び汚水の収容量が汲み取り作業を行うにはまだ少ないことを意味している。
上記と同様にして、制御部２０１は、通信部２０２を介して継続検出信号を入力し、汚物又は汚水が継続検出状況にあることを知らせる継続検出警告を報知部２０４に報知させる。
【００３５】
また、ステップＳ２０３において、制御部１０１は、検出結果が第３の汚水用閾値（２０％）以上でないと判定すると（ステップＳ２０３：Ｎｏ）、記憶部１０３が記憶する警告信号テーブルに基づいて汚水漏れ異常警告信号を生成し、通信部１０２を介して管理端末２００に出力する（ステップＳ２０５、警告信号出力ステップ）。
ここで、汚物の高さの検出結果が第２の汚物用閾値（６０％）と第１の汚物用閾値（８０％）との間にあって、かつ汚水の高さの検出結果が第３の汚水用閾値（２０％）未満であるということは、便槽１１内における汚物の高さが６０％以上８０％未満であって、かつ汚水の高さが２０％未満になっているため、汚物の高さに対して汚水の高さが異常に低いことを意味している。
上記と同様にして、制御部２０１は、通信部２０２を介して汚水漏れ異常警告信号を入力し、汚水が便槽１１内から漏れている状況にあることを知らせる汚水漏れ警告を報知部２０４に報知させる。
【００３６】
図１１及び図１２は、制御部１０１の第３の警告報知処理の処理動作を示すフローチャートである。
制御部１０１は、汚物検出部５から出力された検出結果が第３の汚物用閾値（２０％）以上であるか否かを判定する（ステップＳ３００）。
制御部１０１は、検出結果が第３の汚物用閾値（２０％）以上であると判定すると（ステップＳ３００：Ｙｅｓ）、汚水検出部６から出力された検出結果が第１の汚水用閾値（８０％）以上であるか、第２の汚水用閾値（６０％）以上であってかつ第１の汚水用閾値（８０％）未満であるか、又は第２の汚水用閾値（６０％）未満であるかを判定する（ステップＳ３０１）。
制御部１０１は、検出結果が第１の汚水用閾値（８０％）以上であると判定すると（ステップＳ３０１：８０以上）、記憶部１０３が記憶する警告信号テーブルに基づいてセンサ異常警告信号を生成し、通信部１０２を介して管理端末２００に出力する（ステップＳ３０２、警告信号出力ステップ）。
ここで、汚物の高さの検出結果が第３の汚物用閾値（２０％）と第２の汚物用閾値（６０％）との間にあって、かつ汚水の高さの検出結果が第１の汚水用閾値（８０％）以上であるということは、便槽１１内における汚物の高さが２０％以上６０％未満であって、かつ汚水の高さが８０％以上になっているため、汚物の高さに対して汚水の高さが異常に高いことを意味している。
上記と同様にして、制御部２０１は、通信部２０２を介してセンサ異常警告信号を入力し、汚物又は汚水が検出異常状況にあることを知らせる検出異常警告を報知部２０４に報知させる。
【００３７】
ステップＳ３０１において、制御部１０１は、検出結果が第２の汚水用閾値（６０％）以上であってかつ第１の汚水用閾値（８０％）未満であると判定すると（ステップＳ３０１：６０以上８０未満）、記憶部１０３が記憶する警告信号テーブルに基づいてセンサ異常警告信号を生成し、通信部１０２を介して管理端末２００に出力する（ステップＳ３０３、警告信号出力ステップ）。
ここで、汚物の高さの検出結果が第３の汚物用閾値（２０％）と第２の汚物用閾値（６０％）との間にあって、かつ汚水の高さの検出結果が第２の汚水用閾値（６０％）と第１の汚水用閾値（８０％）との間にあるということは、便槽１１内における汚物の高さが２０％以上６０％未満であって、かつ汚水の高さが６０％以上８０％未満になっているため、汚物の高さに対して汚水の高さが異常に高いことを意味している。
上記と同様にして、制御部２０１は、通信部２０２を介してセンサ異常警告信号を入力し、汚物又は汚水が検出異常状況にあることを知らせる検出異常警告を報知部２０４に報知させる。
【００３８】
また、ステップＳ３０１において、制御部１０１は、検出結果が第３の汚水用閾値（６０％）未満であると判定すると（ステップＳ３０１：６０未満）、当該検出結果が第３の汚水用閾値（２０％）以上であるか否かを判定する（ステップＳ３０４）。制御部１０１は、検出結果が第３の汚水用閾値（２０％）以上であると判定すると（ステップＳ３０４：Ｙｅｓ）、記憶部１０３が記憶する警告信号テーブルに基づいて継続検出信号を生成し、通信部１０２を介して管理端末２００に出力する（ステップＳ３０５、警告信号出力ステップ）。
ここで、汚物の高さの検出結果が第２の汚物用閾値（６０％）と第３の汚物用閾値（２０％）との間にあって、かつ汚水の高さの検出結果が第２の汚水用閾値（６０％）と第３の汚水用閾値（２０％）との間にあるということは、便槽１１内における汚物の高さが２０％以上６０％未満であって、かつ汚水の高さが２０％以上６０％未満になっているため、便槽１１内における汚物及び汚水の収容量が汲み取り作業を行うにはまだ少ないことを意味している。
上記と同様にして、制御部２０１は、通信部２０２を介して継続検出信号を入力し、汚物又は汚水が継続検出状況にあることを知らせる継続検出警告を報知部２０４に報知させる。
【００３９】
また、ステップＳ３０４において、制御部１０１は、検出結果が第３の汚水用閾値（２０％）以上でないと判定すると（ステップＳ３０４：Ｎｏ）、記憶部１０３が記憶する警告信号テーブルに基づいて汚水漏れ異常警告信号を生成し、通信部１０２を介して管理端末２００に出力する（ステップＳ３０６、警告信号出力ステップ）。
ここで、汚物の高さの検出結果が第２の汚物用閾値（６０％）と第３の汚物用閾値（２０％）との間にあって、かつ汚水の高さの検出結果が第３の汚水用閾値（２０％）未満であるということは、便槽１１内における汚物の高さが２０％以上６０％未満であって、かつ汚水の高さが２０％未満になっているため、汚物の高さに対して汚水の高さが異常に低いことを意味している。
上記と同様にして、制御部２０１は、通信部２０２を介して汚水漏れ異常警告信号を入力し、汚水が便槽１１内から漏れている状況にあることを知らせる汚水漏れ警告を報知部２０４に報知させる。
【００４０】
また、ステップＳ３００において、制御部１０１は、検出結果が第３の汚物用閾値（２０％）以上でないと判定すると（ステップＳ３００：Ｎｏ）、図１２に示すように、汚水検出部６から出力された検出結果が第１の汚水用閾値（８０％）以上であるか、第２の汚水用閾値（６０％）以上であってかつ第１の汚水用閾値（８０％）未満であるか、又は第２の汚水用閾値（６０％）未満であるかを判定する（ステップＳ３１０）。
制御部１０１は、検出結果が第１の汚水用閾値（８０％）以上であると判定すると（ステップＳ３１０：８０以上）、記憶部１０３が記憶する警告信号テーブルに基づいてセンサ異常警告信号を生成し、通信部１０２を介して管理端末２００に出力する（ステップＳ３１１、警告信号出力ステップ）。
ここで、汚物の高さの検出結果が第３の汚物用閾値（２０％）未満であって、かつ汚水の高さの検出結果が第１の汚水用閾値（８０％）以上であるということは、便槽１１内における汚物の高さが２０％未満であって、かつ汚水の高さが８０％以上になっているため、汚物の高さに対して汚水の高さが異常に高いことを意味している。
上記と同様にして、制御部２０１は、通信部２０２を介してセンサ異常警告信号を入力し、汚物又は汚水が検出異常状況にあることを知らせる検出異常警告を報知部２０４に報知させる。
【００４１】
ステップＳ３１０において、制御部１０１は、検出結果が第２の汚水用閾値（６０％）以上であってかつ第１の汚水用閾値（８０％）未満であると判定すると（ステップＳ３１０：６０以上８０未満）、記憶部１０３が記憶する警告信号テーブルに基づいてセンサ異常警告信号を生成し、通信部１０２を介して管理端末２００に出力する（ステップＳ３１２、警告信号出力ステップ）。
ここで、汚物の高さの検出結果が第３の汚物用閾値（２０％）未満であって、かつ汚水の高さの検出結果が第２の汚水用閾値（６０％）と第１の汚水用閾値（８０％）との間にあるということは、便槽１１内における汚物の高さが２０％未満であって、かつ汚水の高さが６０％以上８０％未満になっているため、汚物の高さに対して汚水の高さが異常に高いことを意味している。
上記と同様にして、制御部２０１は、通信部２０２を介してセンサ異常警告信号を入力し、汚物又は汚水が検出異常状況にあることを知らせる検出異常警告を報知部２０４に報知させる。
【００４２】
また、ステップＳ３１０において、制御部１０１は、検出結果が第３の汚水用閾値（６０％）未満であると判定すると（ステップＳ３１０：６０未満）、当該検出結果が第３の汚水用閾値（２０％）以上であるか否かを判定する（ステップＳ３１３）。制御部１０１は、検出結果が第３の汚水用閾値（２０％）以上であると判定すると（ステップＳ３１３：Ｙｅｓ）、記憶部１０３が記憶する警告信号テーブルに基づいてセンサ異常警告信号を生成し、通信部１０２を介して管理端末２００に出力する（ステップＳ３１４、警告信号出力ステップ）。
ここで、汚物の高さの検出結果が第３の汚物用閾値（２０％）未満であって、かつ汚水の高さの検出結果が第２の汚水用閾値（６０％）と第３の汚水用閾値（２０％）との間にあるということは、便槽１１内における汚物の高さが２０％未満であって、かつ汚水の高さが２０％以上６０％未満になっているため、汚物の高さに対して汚水の高さが異常に高いことを意味している。
上記と同様にして、制御部２０１は、通信部２０２を介してセンサ異常警告信号を入力し、汚物又は汚水が検出異常状況にあることを知らせる検出異常警告を報知部２０４に報知させる。
【００４３】
また、ステップＳ３１３において、制御部１０１は、検出結果が第３の汚水用閾値（２０％）以上でないと判定すると（ステップＳ３１３：Ｎｏ）、記憶部１０３が記憶する警告信号テーブルに基づいて継続検出信号を生成し、通信部１０２を介して管理端末２００に出力する（ステップＳ３１５、警告信号出力ステップ）。
ここで、汚物の高さの検出結果が第３の汚物用閾値（２０％）未満であって、かつ汚水の高さの検出結果が第３の汚水用閾値（２０％）未満であるということは、便槽１１内における汚物の高さが２０％未満であって、かつ汚水の高さも２０％未満になっているため、便槽１１内における汚物及び汚水の収容量が汲み取り作業を行うにはまだ少ないことを意味している。
上記と同様にして、制御部２０１は、通信部２０２を介して継続検出信号を入力し、汚物又は汚水が継続検出状況にあることを知らせる継続検出警告を報知部２０４に報知させる。
【００４４】
以上より、本実施形態における便槽検出装置１、これを備える仮設トイレ１０、便槽警告報知システム５０、便槽警告報知方法及び便槽警告報知プログラムによれば、制御部２が、汚物の高さが所定の汚物用閾値を越え、かつ汚水の高さが第１の汚水用閾値と第２の汚水用閾値との間にある場合に、報知サーバ１００に報知部２０４を介して均し警告及び汲み取り前警告を報知させることから、汚物又は汚水が均し状況及び汲み取り前状況にあることを容易かつ迅速に把握することができる。
また、制御部２が、汚物の高さが第１の汚物用閾値と第２の汚物用閾値との間にあり、かつ汚水の高さが第１の汚水用閾値と第２の汚水用閾値との間にある場合に、報知サーバ１００に報知部２０４を介して汲み取り前警告を報知させることから、汚物及び汚水が汲み取り前状況にあることを容易かつ迅速に把握することができる。
また、制御部２が、第１から第３の汚物用閾値と、第１から第３の汚水用閾値とに基づいて、報知サーバ１００に報知部２０４を介して各種警告を報知させることから、汚物及び汚水のより細かな高さに応じたより適切な状況を容易かつ迅速に把握することができる。
【００４５】
以上、本発明の実施形態について述べたが、本発明は既述の実施形態に限定されるものではなく、各種の変形及び変更が可能である。
例えば、汚水用閾値の設定数又は汚物用閾値の設定数や組み合わせは、適宜変更可能である。具体的には、図１３に示すように、汚水に関して、第１の汚水用閾値（８０％）と、第２の汚水用閾値（６０％）の２つが設定され、汚物に関して、第１の汚物用閾値（８０％）と、第２の汚物用閾値（６０％）の２つが設定されていてもよい。この場合、制御部１０１が、汚物検出部５及び汚水検出部６からの検出結果に応じて、各種警告信号を管理端末２００に出力し、報知部２０４に警告を報知させることは言うまでもない。
また、図１４に示すように、汚水に関して、第１の汚水用閾値（８０％）の１つが設定され、汚物に関して、第１の汚物用閾値（８０％）と、第２の汚物用閾値（６０％）と、第３の汚物用閾値（２０％）の３つが設定されていてもよい。
また、図１５に示すように、汚水に関して、第１の汚物用閾値（８０％）と、第２の汚物用閾値（６０％）と、第３の汚物用閾値（２０％）の３つが設定され、汚物に関して、第１の汚水用閾値（８０％）の１つが設定されていてもよい。
もちろん、閾値の設定数は、４つ以上であってもよい。
【００４６】
また、各閾値の値が、８０％、６０％及び２０％とされているが、これに限ることはなく、適宜変更可能である。７０％、５０％及び１０％にしたり、その他の数値であってもよい。また、汚物又は汚水の高さが閾値に到達しない場合、汚物検出部５又は汚水検出部６は、検出結果を出力しないとしているが、これに限ることはなく、ＯＦＦ信号を出力してもよい。
また、汚水検出部６が便槽１１内の周縁部における汚水の高さを検出するとしているが、これに限ることはなく、検出場所は適宜変更可能である。
また、汚物検出部５が便槽１１内の開口部の近傍における汚物の高さを検出するとしているが、これに限ることはなく、検出場所は適宜変更可能である。
また、汚物検出部５及び汚水検出部６の検出タイミングは適宜変更可能である。例えば、汚物検出部５及び汚水検出部６が、常時検出していてもよいし、所定のタイミングで検出してもよいし、管理端末１００からの指示に応じて検出してもよい。
また、警告信号テーブルにおいて、汚物用閾値と汚水用閾値とに応じた各種警告信号は適宜変更可能である。
【００４７】
また、汚物検出部５及び汚水検出部６のセンサは適宜変更可能である。例えば、センサとして、超音波（超音波の反射による時間差）、赤外線（反射光を一次元の受光センサで受け三角法等で測定）、赤外線レーザ（レーザ反射の時間差（ＴＯＦ））、マイクロ波（戻ってくる信号の周波数変化）、画像（カメラで撮影しソフトウェアで検出）、色（白色光の反射光からＲＧＢ値を検出）、電極（電極間の抵抗値の変化を検出）、静電容量（電極及び対象物質間の静電容量の変化を検出）、圧力（圧電性フィルム等により、圧力（水圧）が加わると抵抗値が変化）、重さ（便槽の質量を測定）、フロート（浮沈によりＯＮ−ＯＦＦするスイッチ）、接触（対象物との接触によりスイッチがＯＮ−ＯＦＦ）等を利用することができる。
【００４８】
また、汚物検出部５及び汚水検出部６がそれぞれ汲み取り口１５の近傍に設けられるとしているが、これに限ることはなく、それらの設置位置は適宜変更可能である。例えば、汚物検出部５及び汚水検出部６が、便座部１３を開閉するフラッパー１３ａに取り付けられていてもよいし、又は汲み取りキャップ１４や、便槽１１内の中央部や、便槽１１の外側などに取り付けられていてもよい。
また、汚物検出部５及び汚水検出部６がそれぞれ１つずつ設けられているとしているが、これに限ることはなく、これらの設置数は適宜変更可能であり、複数であってもよいし設置数の組み合わせも適宜変更可能である。
また、汚物検出部５及び汚水検出部６がそれぞれ別個に設けられているとしているが、これに限ることはなく、汚物検出部５及び汚水検出部６が兼用された一つの検出部によって、汚物の高さ及び汚水の高さを検出するようにしてもよい。その場合、一つの検出部の検出結果から汚物の高さ及び汚水の高さをそれぞれ検出してもよいし、一つの検出部の設置場所や検出場所等をモータや電磁石によって変更可能にして、検出部を可動させて汚物の高さ及び汚水の高さをそれぞれ検出してもよい。
【００４９】
また、便槽検出装置１と報知サーバ１００と管理端末２００とがネットワークを介して接続されているとしたが、これに限ることはなく、これらの構成は適宜変更可能である。例えば、便槽検出装置１が、制御部１０１、記憶部１０３及び報知部２０４等の機能を備えていて各種警告を報知してもよいし、便槽検出装置１が、制御部１０１及び記憶部１０３等の機能を備えていて、報知サーバ１００が、報知部２０４に各種警告を報知させてもよい。また、報知サーバ１００が、報知部２０４等の機能を備えていて各種警告を報知してもよい。すなわち、便槽検出装置１、報知サーバ１００、管理端末２００及び便槽警告報知システム５０を構成する前述の各機能部は、単体のコンピュータに備えられていてもよいし、通信ネットワークを介して通信可能な複数のコンピュータに分散して備えられていてもよい。
【００５０】
また、便槽検出装置１、報知サーバ１００、管理端末２００及び便槽警告報知システム５０の機能を実現するためのプログラムをコンピュータ読み取り可能な記録媒体に記録して、この記録媒体に記録されたプログラムをコンピュータシステムに読み込ませ、実行することにより各種処理を行ってもよい。なお、ここでいう「コンピュータシステム」とは、ＯＳや周辺機器等のハードウェアを含むものとする。
また、「コンピュータシステム」は、ＷＷＷシステムを利用している場合であれば、ホームページ提供環境（あるいは表示環境）も含むものとする。
【００５１】
また、「コンピュータ読み取り可能な記録媒体」とは、フレキシブルディスク、光磁気ディスク、ＲＯＭ、ＣＤ−ＲＯＭ、ＤＶＤ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含むものとする。また上記プログラムは、前述した機能の一部を実現するためのものであっても良く、さらに前述した機能をコンピュータシステムにすでに記録されているプログラムとの組み合わせで実現できるものであってもよい。
また、以上の実施形態や変形例を種々組み合わせることができることは言うまでもない。
【００５２】
既述の実施形態に関し、さらに以下の付記を示す。
（付記１）
仮設トイレの便槽に設けられて、警告を報知する報知装置に接続される便槽検出装置であって、
前記便槽内における汚物の高さ及び汚水の高さを検出し、これらの検出結果を前記報知装置に出力して前記汚物及び前記汚水の高さに応じて前記報知装置に警告を報知させる出力部を備える便槽検出装置。
【００５３】
（付記２）
前記出力部は、
前記汚物の高さが所定の汚物用閾値を超え、かつ前記汚水の高さが所定の汚水用閾値を超えた場合に、前記汚物又は前記汚水が汲み取り状況にあることを知らせる汲み取り警告を前記報知装置に報知させる付記１に記載の便槽検出装置。
【００５４】
（付記３）
前記出力部は、
前記汚物の高さが所定の汚物用閾値を超え、かつ前記汚水の高さが所定の汚水用閾値を超えない場合に、前記汚物が均し状況にあることを知らせる均し警告を前記報知装置に報知させる付記１又は付記２に記載の便槽検出装置。
【００５５】
（付記４）
前記出力部は、
前記汚物の高さが所定の汚物用閾値を超えず、かつ前記汚水の高さが所定の汚水用閾値を超えた場合に、前記汚物又は前記汚水の検出異常状況を知らせる検出異常警告を前記報知装置に報知させる付記１から付記３のいずれか一項に記載の便槽検出装置。
【００５６】
（付記５）
前記出力部は、
前記汚物の高さが所定の汚物用閾値を超えず、かつ前記汚水の高さが所定の汚水用閾値を超えない場合に、前記便槽内における汚物の高さ及び汚水の高さの継続検出状況を知らせる継続検出警告を前記報知装置に報知させる付記１から付記４のいずれか一項に記載の便槽検出装置。
【００５７】
（付記６）
前記所定の汚水用閾値が、高く設定された第１の汚水用閾値と低く設定された第２の汚水用閾値との少なくとも２段階に設定されており、
前記出力部は、
前記汚物の高さが前記所定の汚物用閾値を超え、かつ前記汚水の高さが前記第１の汚水用閾値と前記第２の汚水用閾値との間にある場合に、前記汚物が均し状況にあることを知らせる均し警告と、前記汚物及び前記汚水が汲み取り前状況にあることを知らせる汲み取り前警告とを前記報知装置に報知させる付記２から付記５のいずれか一項に記載の便槽検出装置。
【００５８】
（付記７）
前記所定の汚物用閾値が、高く設定された第１の汚物用閾値と低く設定された第２の汚物用閾値との少なくとも２段階に設定されており、
前記所定の汚水用閾値が、高く設定された第１の汚水用閾値と低く設定された第２の汚水用閾値との少なくとも２段階に設定されており、
前記出力部は、
前記汚物の高さが前記第１の汚物用閾値と前記第２の汚物用閾値との間にあり、かつ前記汚水の高さが前記第１の汚水用閾値と前記第２の汚水用閾値との間にある場合に、前記汚物及び前記汚水が汲み取り前状況にあることを知らせる汲み取り前警告を前記報知装置に報知させる付記２から付記６のいずれか一項に記載の便槽検出装置。
【００５９】
（付記８）
付記１から付記７のいずれか一項に記載の便槽検出装置と、
前記便槽検出装置が設けられる便槽とを備える仮設トイレ。
【００６０】
（付記９）
付記１から付記７のいずれか一項に記載の便槽検出装置と、
前記警告を報知する前記報知装置と
を備える便槽警告報知システム。
【００６１】
（付記１０）
付記１から付記７のいずれか一項に記載の便槽検出装置の検出結果に応じて前記報知装置によって警告を報知する警告報知方法であって、
前記報知装置の警告信号出力部が、前記便槽検出装置の出力部から出力される検出結果に応じて、前記報知装置の報知部に前記警告を報知させる警告信号を出力する警告信号出力ステップを含む警告報知方法。
【００６２】
（付記１１）
付記１から付記７のいずれか一項に記載の便槽検出装置の検出結果に応じて警告を報知する前記報知装置における警告報知プログラムであって、
前記報知装置の警告信号出力部が、前記便槽検出装置の出力部から出力される検出結果に応じて、前記報知装置の報知部に前記警告を報知させる警告信号を出力する警告信号出力ステップを含む警告報知プログラム。
【符号の説明】
【００６３】
１    便槽検出装置
２    制御部（出力部）
１０  仮設トイレ
１１  便槽
５０  警告報知システム
１００  報知サーバ（報知装置）
１０１  制御部（警告信号出力部）
２００  管理端末（報知装置）
２０４  報知部
【図１】
2019088367.tif 000003
【図２】
2019088367.tif 000004
【図３】
2019088367.tif 000005
【図４】
2019088367.tif 000006
【図５】
2019088367.tif 000007
【図６】
2019088367.tif 000008
【図７】
2019088367.tif 000009
【図８】
2019088367.tif 000010
【図９】
2019088367.tif 000011
【図１０】
2019088367.tif 000012
【図１１】
2019088367.tif 000013
【図１２】
2019088367.tif 000014
【図１３】
2019088367.tif 000015
【図１４】
2019088367.tif 000016
【図１５】
2019088367.tif 000017